(57)【要約】【課題】通信のセキュリティ性を高めることができるとともに、無線ＬＡＮセットアップを容易に完了すること。【解決手段】指向性を有する電磁波を受発信する指向性通信ポート２０２と、指向性通信ポート２０２を用いて無線ＬＡＮ端末装置との間で無線ＬＡＮの設定情報を通信する無線ＬＡＮ設定部と、指向性通信ポート２０２の存在位置を示す可視光を発光する可視光発光部２０３と、可視光発光部２０３の可視光の発光状態を切り換えることにより、無線ＬＡＮの設定情報の通信開始から通信完了までの無線ＬＡＮ設定中であることを可視光発光部２０３に表示させる発光制御部を備えた。【選択図】図６
2010050919.tif 000002
【特許請求の範囲】
【請求項１】
指向性を有する電磁波を受発信する指向性通信ポートと、
前記指向性通信ポートを用いて無線ＬＡＮの端末装置との間で無線ＬＡＮの設定情報を通信する無線ＬＡＮ設定部と、
前記指向性通信ポートの存在位置を示す可視光を発光する可視光発光部と、
前記可視光発光部の可視光の発光状態を切り換えることにより、前記無線ＬＡＮの設定情報の通信開始から通信完了までの無線ＬＡＮ設定中であることを前記可視光発光部に表示させる発光制御部と、
を備えたことを特徴とする無線ＬＡＮアクセスポイント装置。
【請求項２】
前記可視光発光部は、前記指向性通信ポートの周囲に配置されていることを特徴とする請求項１に記載の無線ＬＡＮアクセスポイント装置。
【請求項３】
前記可視光発光部は、前記指向性通信ポートと一体で形成されていることを特徴とする請求項１に記載の無線ＬＡＮアクセスポイント装置。
【請求項４】
前記発光制御部は、前記無線ＬＡＮ設定中に前記可視光を点灯および点滅のうち一方の発光状態に切り換えることを特徴とする請求項１ないし３のうちいずれか１項に記載の無線ＬＡＮアクセスポイント装置。
【請求項５】
前記発光制御部は、前記可視光の色を切り換えることを特徴とする請求項１ないし４のうちいずれか１項に記載の無線ＬＡＮアクセスポイント装置。
【請求項６】
前記指向性通信ポートの周囲に、前記指向性通信ポートの位置を指し示す形状を有するガイド部材が配置されていることを特徴とする請求項１ないし５のうちいずれか１項に記載の無線ＬＡＮアクセスポイント装置。
【請求項７】
前記指向性通信ポートは、前記電磁波として、赤外線を用いることを特徴とする請求項１ないし６のうちいずれか１項に記載の無線ＬＡＮアクセスポイント装置。
【請求項８】
指向性を有する電磁波を受発信する指向性通信ポートを用いて無線ＬＡＮの端末装置との間で無線ＬＡＮの設定情報を通信する無線ＬＡＮセットアップ方法であって、
前記無線ＬＡＮの設定情報の通信開始前に、可視光発光部から第１の発光状態の可視光を発光させるステップと、
前記無線ＬＡＮの設定情報の通信開始時に、前記可視光発光部の可視光を前記第１の発光状態から第２の発光状態に切り換えるステップと、
前記無線ＬＡＮの設定情報の通信完了時に、前記可視光発光部の可視光を前記第２の発光状態から第３の発光状態に切り換えるステップと、
を含むことを特徴とする無線ＬＡＮセットアップ方法。
【発明の詳細な説明】
【技術分野】
【０００１】
本発明は、通信のセキュリティ性を高めることができるとともに、無線ＬＡＮセットアップを容易に完了させることができる無線ＬＡＮアクセスポイント装置および無線ＬＡＮセットアップ方法に関する。
【背景技術】
【０００２】
無線ＬＡＮアクセスポイント装置（以下単に「アクセスポイント」という）と無線ＬＡＮ端末装置との間で、指向性を有する赤外線を用いて、無線ＬＡＮの設定情報を通信する技術が知られている。
【０００３】
特許文献１には、端末から通信要求を受信すると、その端末に対して赤外線により暗号鍵を送信し、その暗号鍵を用いて電波により端末と無線通信を行う構成が開示されている。
【０００４】
特許文献２には、暗号鍵配信装置から赤外線により暗号鍵を受信し、その暗号鍵を用いて、電波により端末と無線通信を行う構成が開示されている。
【０００５】
特許文献３には、送信電力を低減して電波が届く範囲を通常時よりも狭めた後、電波により暗号鍵を端末に送信する構成が開示されている。
【特許文献１】特開２００６−１０８８９８号公報
【特許文献２】特開２００６−２３８３４３号公報
【特許文献３】特開２００４−２１５２３２号公報
【発明の開示】
【発明が解決しようとする課題】
【０００６】
赤外線を用いた指向性通信による無線ＬＡＮセットアップは、セキュリティの面で有用であるが、赤外線は目に見えないため、ユーザにとって赤外線と通信ポートとの位置合わせが難しい。
【０００７】
また、無線ＬＡＮセットアップの途中経過をユーザは知ることができないという課題もある。もしも、無線ＬＡＮセットアップ中に、赤外線の放射範囲が通信ポートから外れてしまうと、無線ＬＡＮセットアップが完了しないことになる。
【０００８】
したがって、指向性が高い場合、赤外線を用いた無線ＬＡＮセットアップは実際には困難である。無線ＬＡＮセットアップが完了しなければ、画像データなどの有用なデータの無線通信を開始することができない。
【０００９】
特許文献１〜３は、無線ＬＡＮセットアップを容易にする事項について、記載が無い。
【００１０】
本発明はこのような事情に鑑みてなされたもので、通信のセキュリティ性を高めることができるとともに、無線ＬＡＮセットアップを容易に完了させることができる無線ＬＡＮアクセスポイント装置および無線ＬＡＮセットアップ方法を提供することを目的とする。
【課題を解決するための手段】
【００１１】
前記目的を達成するために、本発明は、指向性を有する電磁波を受発信する指向性通信ポートと、前記指向性通信ポートを用いて無線ＬＡＮの端末装置との間で無線ＬＡＮの設定情報を通信する無線ＬＡＮ設定部と、前記指向性通信ポートの存在位置を示す可視光を発光する可視光発光部と、前記可視光発光部の可視光の発光状態を切り換えることにより、前記無線ＬＡＮの設定情報の通信開始から通信完了までの無線ＬＡＮ設定中であることを前記可視光発光部に表示させる発光制御部と、を備えたことを特徴とする無線ＬＡＮアクセスポイント装置を提供する。
【００１２】
本発明によれば、指向性を有する電磁波を用いて無線ＬＡＮ設定を行うことでセキュリティ性を高めることができるとともに、可視光の発光により指向性通信ポートの存在位置が示されるので、ユーザは赤外線と指向性通信ポートとの位置合わせが容易になる。さらに、無線ＬＡＮの設定情報の通信開始から通信完了までの無線ＬＡＮ設定中であることが可視光の発光状態の切り換えによりユーザに知らせられて、ユーザは赤外線と指向性通信ポートとの位置合わせを容易に維持することができるので、無線ＬＡＮ設定が確実に完了することになる。すなわち、無線ＬＡＮアクセスポイント装置と無線ＬＡＮ端末装置との通信のセキュリティ性を高めることができるとともに、無線ＬＡＮセットアップを容易に完了させることができる。
【００１３】
前記可視光発光部は、前記指向性通信ポートの周囲に配置されている。または、前記可視光発光部は、前記指向性通信ポートと一体で形成されている。
【００１４】
例えば、前記発光制御部は、前記無線ＬＡＮ設定中に前記可視光を点灯および点滅のうち一方の発光状態に切り換える。前記可視光の色を切り換えることで、発光状態を切り換えてもよい。
【００１５】
前記指向性通信ポートの周囲に、前記指向性通信ポートの位置を指し示す形状を有するガイド部材が配置されていてもよい。
【００１６】
例えば、前記指向性通信ポートは、前記電磁波として、赤外線を用いる。ただし、本発明にて、指向性を有する前記電磁波は、特に限定されず、赤外線以外の電磁波を用いてもよい。
【００１７】
また、本発明は、指向性を有する電磁波を受発信する指向性通信ポートを用いて無線ＬＡＮの端末装置との間で無線ＬＡＮの設定情報を通信する無線ＬＡＮセットアップ方法であって、前記無線ＬＡＮの設定情報の通信開始前に、前記指向性通信ポートの存在位置を示す可視光を発光する可視光発光部から第１の発光状態の可視光を発光させるステップと、前記無線ＬＡＮの設定情報の通信開始時に、前記可視光発光部の可視光を前記第１の発光状態から第２の発光状態に切り換えるステップと、前記無線ＬＡＮの設定情報の通信完了時に、前記可視光発光部の可視光を前記第２の発光状態から第３の発光状態に切り換えるステップと、を含むことを特徴とする無線ＬＡＮセットアップ方法を提供する。
【００１８】
無線ＬＡＮの設定情報は、デジタルコンテンツ（例えば、画像データ、音データ、テキストデータ、これらのデータを組み合わせたマルチメディアデータ）などの目的のデータの通信（本通信）を成立させるために必要な情報である。
【００１９】
本発明は、指向性の電磁波を用いて無線ＬＡＮの設定情報を通信した後、無指向性の電磁波を用いて本通信を行う態様、および、その指向性の電磁波を用いて本通信を行う態様のいずれにも、適用できる。
【発明の効果】
【００２０】
本発明によれば、無線ＬＡＮアクセスポイントと無線ＬＡＮ端末装置との通信のセキュリティ性を高めることができるとともに、無線ＬＡＮセットアップを容易に完了させることができる。
【発明を実施するための最良の形態】
【００２１】
以下、添付図面に従って、本発明の実施形態について、詳細に説明する。
【００２２】
図１は、無線ＬＡＮ通信システムを含む構成例を示すブロック図である。図１において、複数の無線ＬＡＮ端末装置８０（以下「クライアント端末」ともいう）、および、無線ＬＡＮアクセスポイント装置８１（以下単に「アクセスポイント」という）によって、無線ＬＡＮ通信システム８２が構成されている。言い換えると、クライアント端末８０は無線ＬＡＮによってアクセスポイント８１との通信を行う構成となっている。
【００２３】
クライアント端末８０は、特に限定されないが、撮影装置が含まれる。撮影装置は、本明細書において、撮影機能を有し、デジタルデータからなる画像データを生成する装置である。撮影装置としては、例えば、デジタルスチールカメラ、デジタルビデオカメラ、カメラ付き携帯端末が挙げられる。
【００２４】
クライアント端末８０は、アクセスポイント８１およびルータ８３を介して、外部ネットワーク８４に接続され、外部ネットワーク８４上のサーバ８５や外部端末８６と通信可能である。外部ネットワーク８４としては、例えば、インターネット、ＬＡＮ（Local Area Network）が挙げられる。外部ネットワーク８４は、有線のネットワークでも、無線のネットワークでもよい。
【００２５】
このような構成において、クライアント端末８０は、サーバ８５と通信することにより、外部ネットワーク８４上のデータベース８７への画像データのアップロード、および、データベース８７からの画像データのダウンロードを行うことができる。すなわち、無線ＬＡＮ通信システム８２を含んで、図１に示すような、画像データを共有する画像データ共有システムを構築できる。
【００２６】
図２は、クライアント端末８０の一例としての撮影装置１００の前面側を示す斜視図である。また、図３は、図２の撮影装置１００の背面側を示す斜視図である。
【００２７】
図２および図３に示す撮影装置１００は、本体１１１の前面に撮影レンズ２４を含む沈胴式のレンズ鏡筒１１２、フラッシュ窓１３２、ファインダ窓１３３、および、指向性通信ポート７０が設けられている。
【００２８】
本体１１１の上面には、レリーズボタン１１３および電源スイッチ１１４が設けられている。
【００２９】
本体１１１の背面には、ＬＣＤパネル１１５、ファインダ接眼窓１１６、汎用キー１１７、動作モード切り換えスイッチ１１８、メニューボタン１１９、キャンセルボタン１２１、ディスプレイボタン１２２、ファンクションボタン１２３が設けられている。
【００３０】
動作モード切り換えスイッチ１１８は、撮像した画像をメモリカード（図４の４６）に記録する撮影モードと、メモリカード４６に記録された画像を再生し、ＬＣＤパネル１１５に再生表示する再生モードとを切り替える。
【００３１】
ＬＣＤパネル１１５（以下「表示画面」ともいう）は、画像再生に使用される他、撮影モードのときには、フレーミング用のスルー画を表示するビューワインダーとしても機能する。また、ＬＣＤパネル１１５は、各種の設定をするための設定画面を表示する。
【００３２】
メニューボタン１１９を押下すると、ＬＣＤパネル１１５に設定画面が表示され、撮影モードあるいは再生モードからセットアップモードへ移行する。この設定画面では、露出値、色合い、ＩＳＯ感度、記録画素数などの画質調整に関する項目や、セルフタイマーの設定、測光方式の切り替え、デジタルズームを使用するか否かなどの画質調整以外の項目など、撮影装置１００が持つすべての調整項目の設定が行われる。撮影装置１００は、この設定画面で設定された条件に応じて動作する。メニューボタン１１９は、選択した項目や処理を確定したり、実行したりするための確定／実行ボタンとしても機能する。
【００３３】
汎用キー１１７は、再生する画像を選択したり、設定画面内の項目を選択したりするためのカーソルを移動するカーソルシフトキーとして機能する。汎用キー１１７は、カーソルを左右方向に移動させる左シフトキー１１７ａ及び右シフトキー１１７ｃ、上下方向に移動させる上下シフトキー１１７ｂとからなる。左右の各シフトキー１１７ａ、１１７ｃは押しボタン式であり、上下シフトキー１１７ｂは、水平方向の軸を中心に上下方向の揺動自在に設けられている。また、上下シフトキー１１７ｂは、撮影モードで動作している場合には、ズームボタンとして機能する。キャンセルボタン１２１は、選択した項目や操作をキャンセルする。ディスプレイボタン１２２は、ＬＣＤパネル１１５をオン／オフするボタンである。
【００３４】
図２に示す指向性通信ポート７０は、指向性を有する電磁波を送受信する通信ポートである。本例では、指向性通信ポート７０として、赤外線を受光および発光する赤外線通信ポートを用いている。
【００３５】
本例にて、指向性通信ポート７０は、撮影レンズ２４の近傍に配置されている。
【００３６】
図４は、図１の無線ＬＡＮ端末装置８０としての撮影装置１００の要部の構成を示すブロック図である。なお、図２および図３に示した構成要素には、同じ符号を付してあり、既に説明した内容は、その説明を省略する。
【００３７】
図４において、撮影装置１００は、撮影装置１００の各部を制御するＣＰＵ（Central Processing Unit）１０と、ユーザから各種の指示が入力される操作部１２と、撮像素子３０に被写体像を入射する撮影レンズ２４と、撮影レンズ２４を介して被写体の撮像を行う撮像素子３０と、撮像素子３０により得られる撮像画像を表示可能な表示画面（図３の１１５）を有する表示部５０と、被写体距離を測定する測距部５６と、アクセスポイント８１の後述する電波通信部（図５の２０１）との間で無指向性の電波を送受信することにより無指向性通信を行う電波通信部６８と、アクセスポイント８１の後述する指向性通信ポート（図５の２０２）との間で指向性を有する赤外線を送受信することにより指向性通信を行う指向性通信ポート７０と、各種の情報を記憶する記憶部１０９を含んで構成されている。本例の記憶部１０９は、ＲＯＭ、ＲＡＭ、ＥＥＰＲＯＭおよびメモリカードによって構成されている。本例の指向性通信ポート７０は、赤外線を受光する赤外線受光部７１および赤外線を発光する赤外線発光部７２を有し、アクセスポイント８１との間で赤外線による双方向通信が可能である。
【００３８】
なお、指向性を有する電磁波として赤外線を用いる場合を例に説明するが、本発明は、指向性を有する電磁波として赤外線以外の電磁波を用いてもよい。また、指向性を有する電磁波を用いて無線ＬＡＮ設定情報の通信を行った後に、無指向性の電波を用いて画像データなどの有用なデータの通信（本通信）を行う場合を例に説明するが、無線ＬＡＮ設定情報の通信後、指向性を有する電磁波を用いて本通信を行う構成としてもよい。
【００３９】
ＣＰＵ１０は、撮影装置１００のモードを切り換えるモード制御部３１１と、撮影レンズ２４のズーム倍率を切り換えるズーム制御部３１２と、表示部５０の表示画面（図３の１１５）上でのアクセスポイント８１の指向性通信ポート２０２の目標位置を示すターゲットガイド（本例ではアクセスポイント８１上の実際のターゲットパターンと同じ形状である）を、撮像素子３０により得られる撮像画像と合成して、表示部５０の表示画面１１５に表示させる表示制御部３１３と、撮像画像中のターゲットパターンおよびターゲットガイドの表示画面１１５上での位置を比較して、撮影装置１００の指向性通信ポート７０から放射される赤外線の放射角度範囲とアクセスポイント８１の指向性通信ポート２０２との位置関係が適切であるか否かを判定するとともに、撮像画像中のターゲットパターンおよびターゲットガイドの形状を比較して、アクセスポイント８１の指向性通信ポート２０２から放射される赤外線の放射角度範囲と撮影装置１００の指向性通信ポート７０との位置関係が適切であるか否かを判定するパターン比較部３１４と、測距部５６により測定された被写体距離に基づいて、撮影装置１００の指向性通信ポート３０２とアクセスポイント８１の指向性通信ポート２０２との距離が互いの赤外線の放射距離範囲内であるか否かを判定する距離判定部３１５と、指向性通信ポート７０を用いて指向性の無線通信を行うことにより、アクセスポイント８１との間で無線ＬＡＮの設定情報を通信する無線ＬＡＮ設定を行う無線ＬＡＮ設定部３１６と、電波通信部７４を用いて無指向性の無線通信を行うことにより、アクセスポイント８１との間で画像データなどの有用なデータを通信する電波通信制御部３１７と、アクセスポイント８１に送信するデータの暗号化、アクセスポイント８１から受信したデータの復号化などのセキュリティ処理を行うセキュリティ処理部３１８と、操作部１２から入力されるユーザの指示に応じて、記憶部１０９に記憶されている画像のプリント注文を受け付けるプリント注文受付部３２０を含んで構成されている。なお、本例のズーム制御部３１２は、撮影レンズ２４のズーム倍率（ズーム位置）を変化させる光学ズームを行うが、このような場合に特に限定されない。電子的に撮像画像のズーム倍率を切り換える電子ズームを行ってもよい。
【００４０】
図５は、アクセスポイント８１の一例を示すブロック図である。
【００４１】
図５において、アクセスポイント８１は、無指向性の電波を用いて無線ＬＡＮ端末装置（図１の８０）と通信を行う電波通信部２０１と、指向性を有する赤外線を用いて無線ＬＡＮ端末装置８０と通信を行う指向性通信ポート２０２と、指向性通信ポート２０２の存在位置を示す可視光を発光する可視光発光部２０３と、外部ネットワーク（図１の８４）を介した通信を行う外部ネットワークインターフェース２０４と、各種の情報を記憶する記憶部２０９と、アクセスポイント８１の各部を制御するＣＰＵ（Central Processing Unit）２１０を含んで構成されている。
【００４２】
指向性通信ポート２０２は、赤外線を受光する赤外線受光部２２１、および、赤外線を発光する赤外線発光部２２２を有し、無線ＬＡＮ端末装置８０と赤外線による双方向通信が可能である。
【００４３】
ＣＰＵ２１０は、外部ネットワークインターフェース２０４を制御する外部ネットワーク通信制御部２１１と、電波通信部２０１を制御して無線ＬＡＮ端末装置８０とデータを通信する電波通信制御部２１２と、無線ＬＡＮ端末装置８０に送信するデータの暗号化、無線ＬＡＮ端末装置８０から受信したデータの復号化などのセキュリティ処理を行うセキュリティ処理部２１３と、指向性通信ポート２０２を用いて、無線ＬＡＮ端末装置８０との間で無線ＬＡＮの設定情報を通信することにより無線ＬＡＮ設定（無線ＬＡＮセットアップ）を行う無線ＬＡＮ設定部２１４と、可視光発光部２０３の可視光の発光状態を切り換える制御を行う可視光制御部２１５を含んで構成されている。
【００４４】
本例の可視光制御部２１５は、無線ＬＡＮ設定開始待ち状態、無線ＬＡＮ設定中状態および無線ＬＡＮ設定完了状態の３つを含む複数の無線ＬＡＮ設定状態にそれぞれ対応させて、可視光の発光状態を切り換える。
【００４５】
無線ＬＡＮ設定開始待ち状態は、無線ＬＡＮ端末装置８０の指向性通信ポート（例えば図２の撮影装置１００の指向性通信ポート７０）から発光される赤外線が、アクセスポイント８１の指向性通信ポート２０２にて受光されることを待っている状態である。具体的には、無線ＬＡＮ端末装置８０の指向性通信ポート７０から送信される無線ＬＡＮ設定開始待ち要求が、アクセスポイント８１の指向性通信ポート２０２で受信されることを待っている状態である。この状態にて、可視光制御部２１５は、可視光発光部２０３に、第１の発光状態の可視光を発光させる。
【００４６】
無線ＬＡＮ設定中状態は、無線ＬＡＮ端末装置８０の指向性通信ポート７０とアクセスポイント８１の指向性通信ポート２０２との間で、赤外線による通信を開始してから完了するまでの状態である。具体的には、指向性通信ポート７０、２０２間で、無線ＬＡＮの設定情報の通信を開始してから完了するまでの状態である。この状態にて、可視光制御部２１５は、可視光発光部２０３から発光される可視光を、第１の発光状態から第２の発光状態に切り換える。
【００４７】
無線ＬＡＮ設定完了状態は、無線ＬＡＮ端末装置８０の指向性通信ポート７０とアクセスポイント８１の指向性通信ポート２０２との間で、赤外線による通信が完了した状態である。具体的には、指向性通信ポート７０、２０２間で、無線ＬＡＮの設定情報の通信が完了した状態である。この状態にて、可視光制御部２１６は、可視光発光部２０３から発光される可視光を、第２の発光状態から第３の発光状態に切り換える。
【００４８】
可視光制御部２１５の可視光発光制御には、各種の態様がある。第１の態様としては、可視光の点滅、点灯および消灯の切り換えを行う態様がある。第２の態様としては、可視光の色を切り換える態様がある。これらの第１の態様および第２の態様を組み合わせることで、可視光の発光状態を切り換えてもよい。単なる点灯ではなく、光の強弱や模様を変化させる等、公知の他の発光技術を用いてもよい。
【００４９】
以下では、無線ＬＡＮ設定状態の表示について、各種の実施形態に分けて、説明する。
【００５０】
（第１実施形態）
図６（Ａ）〜（Ｂ）は、第１実施形態に係るアクセスポイントの具体例の外観を示す斜視図である。
【００５１】
図６（Ａ）に示すアクセスポイント８１ａでは、外装筐体２６０のうち指向性通信ポート２０２が配置されている前面２７１に、指向性通信ポート２０２の周囲を取り囲むようにして、可視光発光部２０３が配置されている。
【００５２】
図６（Ｂ）に示すアクセスポイント８１ｂでは、外装筐体２６０のうち指向性通信ポート２０２が配置されている前面２７１に、指向性通信ポート２０２の４方向（上、下、左、右）にひとつずつ、合計４個の三角形状の可視光発光部２０３が配置されている。これらの可視光発光部２０３は、指向性通信ポート２０２の位置を指し示す形状を有している。
【００５３】
図６（Ｃ）に示すアクセスポイント８１ｃでは、外装筐体２６０のうち指向性通信ポート２０２が配置されている前面２７１に、指向性通信ポート２０２の周囲を取り囲むリング状の可視光発光部２０３が配置されている。
【００５４】
以上説明したように、第１実施形態にて、可視光発光部２０３は、指向性通信ポート２０２の周囲に配置されている。
【００５５】
（第２実施形態）
図７は、第２実施形態に係るアクセスポイント８１ｄの外観を示す斜視図である。そのアクセスポイント８１ｄの要部を図８に示す。
【００５６】
図８にて、可視光発光部２０３は、光源２３１（一次発光部）および二次発光部２３２によって構成されている。光源２３１が可視光を一次発光し、二次発光部２３２が可視光を二次発光する。また、二次発光部２３２は、指向性通信ポート２０２の赤外線発光部２２２から発せられた赤外線を外部に向けて透過させるとともに、無線ＬＡＮ端末装置８０の指向性通信ポート７０から発せられた赤外線を透過させて指向性通信ポート２０２の赤外線受光部２２１に到達させる。例えば、赤外線は可視光よりも波長が長く散乱しにくいので、この性質を利用し、可視光を散乱させる一方で、赤外線を透過させる。光源２３１としては、例えば、ＬＥＤを用いる。二次発光部２３２としては、例えば、合成樹脂材料、織布などを用いる。
【００５７】
以上説明したように、第２実施形態にて、可視光発光部２０３は、指向性通信ポート２０２と一体で形成されている。すなわち、指向性通信ポート２０２自体が可視光を発光する。
【００５８】
（第３実施形態）
図９（Ａ）および（Ｂ）は、第３実施形態に係るアクセスポイントの具体例の外観を示す斜視図である。
【００５９】
図９（Ａ）に示すアクセスポイント８１ｅでは、指向性通信ポート２０２の周囲に、指向性通信ポート２０２の存在位置を指し示す矢印形状を有するガイドマーク２３０が配置されている。
【００６０】
図９（Ｂ）に示すアクセスポイント８１ｆでは、指向性通信ポート２０２の周囲に、指向性通信ポート２０２の存在位置を指し示す三角形状を有するガイドマーク２３０が配置されている。
【００６１】
例えば、指向性通信ポート２０２として、図８に示した可視光発光部２０３と一体型のものを用いる。ガイドマーク２３０は、非発光材料を用いればよい。
【００６２】
ガイドマーク２３０を指向性通信ポート２０２の周囲に描く態様は、特に限定されない。例えば、外装筐体２６０に印刷、外装筐体２６０にシールとして粘付、ＬＣＤ（液晶表示デバイス）で表示、などの態様がある。
【００６３】
（無線ＬＡＮセットアップ処理）
図１０は、無線ＬＡＮ設定開始待ち／設定中／設定終了の各無線ＬＡＮ設定状態に応じて可視光の点灯状態（点滅、点灯、消灯）を切り換える場合について、無線ＬＡＮセットアップ処理の一例の流れを示すフローチャートである。本処理は、図５に示すアクセスポイント装置８１のＣＰＵ２１０によって、プログラムに従い、実行される。
【００６４】
ステップＳ４０にて、指向性通信を用いる無線ＬＡＮセットアップモードに遷移する。
【００６５】
例えば、図４の撮影装置１００にてアクセスポイント８１の指向性通信ポート２０２を探す後述の通信ポート探しモードに遷移したとき、無指向性の電波により、撮影装置１００がアクセスポイント８１に対して無線ＬＡＮ設定開始待ち要求を送信する。アクセスポイント８１の電波通信部２０１が無線ＬＡＮ設定開始待ち要求を受信すると、電波通信制御部２１２は、無線ＬＡＮ設定部２１４に対して無線ＬＡＮ設定開始待ちを指示し、無線ＬＡＮ設定部２１４は、可視光制御部２１５に対して無線ＬＡＮ設定開始待ち表示を指示する。
【００６６】
ステップＳ４１にて、可視光制御部２１５は、可視光発光部２０３を用いて、可視光を点滅させる。
【００６７】
ステップＳ４２にて、無線ＬＡＮセットアップを開始する。
【００６８】
例えば、撮影装置１００にて通信ポート探しが完了したとき、指向性を有する赤外線により、撮影装置１００がアクセスポイント８１に対して無線ＬＡＮ設定情報の通信要求を送信する。アクセスポイント８１の指向性通信ポート２０２が無線ＬＡＮ設定情報の通信要求を受信すると、無線ＬＡＮ設定部２１４は、可視光制御部２１５に対して無線ＬＡＮ設定中表示を指示する。
【００６９】
ステップＳ４３にて、可視光制御部２１５は、可視光発光部２０３を用いて、可視光を点灯させる。
【００７０】
例えば、指向性を有する赤外線により、撮影装置１００がアクセスポイント８１に対して無線ＬＡＮ設定情報を送信する。アクセスポイント８１の指向性通信ポート２０２が無線ＬＡＮ設定情報を受信すると、無線ＬＡＮ設定部２１４は、無線ＬＡＮ設定情報の全部または一部をアクセスポイント８１の記憶部２０９に記憶されている情報と照合する等、所定の認証処理を行う。認証処理以外の処理を行ってもよい。外部ネットワークと通信して認証処理を行ってもよい。撮影装置１００に対して、本通信に必要な他の情報を要求してもよい。
【００７１】
ステップＳ４４にて、本通信の成立に必要な処理（無線ＬＡＮセットアップ）が完了すると、無線ＬＡＮ設定部２１４は、赤外線により、無線ＬＡＮ設定完了を撮影装置１００に対して通知するとともに、可視光制御部２１５に対して無線ＬＡＮ設定完了表示を指示する。
【００７２】
ステップＳ４５にて、可視光制御部２１５は、可視光発光部２０３を用いて、可視光を消灯させる。
【００７３】
なお、無線ＬＡＮセットアップが正常終了した場合を例に説明したが、異常終了した場合には、可視光を他の発光状態（例えば点滅）に切り換えてもよい。
【００７４】
図１１は、無線ＬＡＮ設定開始待ち／設定中／設定終了の各無線ＬＡＮ設定状態に応じて可視光の色を切り換える場合について、無線ＬＡＮセットアップ処理の一例の流れを示すフローチャートである。本処理は、図５に示すアクセスポイント８１のＣＰＵ２１０によって、プログラムに従い、実行される。
【００７５】
ステップＳ５０にて、指向性通信を用いる無線ＬＡＮセットアップモードに遷移する。
【００７６】
ステップＳ５１にて、可視光制御部２１５は、可視光発光部２０３を用いて、可視光を第１の色（例えば黄色）に切り換える。
【００７７】
ステップＳ５２にて、無線セットアップを開始する。
【００７８】
ステップＳ５３にて、可視光制御部２１５は、可視光発光部２０３を用いて、可視光を第２の色（例えば赤色）に切り換える。
【００７９】
ステップＳ５４にて、無線ＬＡＮセットアップを完了する。
【００８０】
ステップＳ５５にて、可視光制御部２１５は、可視光発光部２０３を用いて、可視光を第３の色（例えば青色）に切り換える。
【００８１】
なお、無線ＬＡＮセットアップ処理が正常終了した場合を例に説明したが、異常終了した場合には、赤色の点滅にしてもよい。
【００８２】
図１０を用いて可視光の点灯状態（点滅、点灯、消灯）を切り換える場合について説明し、図１１を用いて可視光の色を切り換える場合について説明したが、点灯状態（点滅、点灯、消灯）の切り換えと色の切り換えをと組み合わせてもよい。
【００８３】
（無線ＬＡＮ端末装置での通信ポート探し）
無線ＬＡＮ端末装置８０としての図４の撮影装置１００にて行われる通信ポート探しについて説明する。
【００８４】
図１２（Ａ）は、アクセスポイント８１におけるターゲットパターンの一例を示す。本例では、図６（Ａ）に示したアクセスポイント８１ａにて、指向性通信ポート２０２の周囲に配設されている可視光発光部２０３の外形形状（本例では正方形状）を、ターゲットパターン２３０として用いる。なお、ターゲットパターンは、指向性通信ポート２０２の周囲に配設された部材の形状には特に限定されない。指向性通信ポート自体の形状をターゲットパターンとして用いることも可能である。また、指向性通信ポートの周囲に印刷したパターン（例えば図９のターゲットマーク２３０）をターゲットパターンとして用いてもよい。指向性通信ポートの形状と指向性通信ポートの周囲の形状との組み合わせをターゲットパターンとして用いてもよい。
【００８５】
図１２（Ｂ）は、撮影装置１００の表示画面（図３の１１５）上に表示させるターゲットガイドの一例を示す。本例のターゲットガイド３３０は、図１２（Ａ）のターゲットパターン２３０と同じ形状（本例では正方形状）である。本例では、アクセスポイント８１のターゲットパターン２３０を撮影装置１００の記憶部１０９に予め記憶させておき、ターゲットガイド３３０として、撮影装置１００の表示画面１１５に表示させる。なお、図１２（Ｂ）には、“アクセスポイントの通信ポートの位置と形状と大きさを合わせて下さい”というメッセージを表示した場合を例に示したが、メッセージの内容は特に限定されない。赤外線の放射距離が十分に大きい場合（例えば１ｍ以上の場合）には、“・・・位置と形状を合わせて下さい”というメッセージでもよい。
【００８６】
図１３は、撮影装置１００の処理の一例の流れを示すフローチャートである。本処理は、図４の撮影装置１００のＣＰＵ１０の制御により、プログラムに従って、実行される。
【００８７】
ステップＳ１１にて、ユーザにより、操作部１２にて、プリント注文データの送信指示が入力される。そうすると、プリント注文受付部３２０は、モード制御部３１１に対して、ユーザの送信指示を通知する。
【００８８】
ステップＳ１２にて、モード制御部３１１により、撮影装置１００はアクセスポイント８１の指向性通信ポート２０２を表示画面１１５上で探すモード（通信ポート探しモード）に遷移する。
【００８９】
ステップＳ１３にて、ズーム制御部３１２により、ズーム設定を行う。本例では、撮影レンズ２４のズーム位置を広角端に切り換える。マクロ撮影に切り換えてもよい。
【００９０】
ステップＳ１４にて、表示制御部３１３により、撮像素子３０により得られる画像（スルー画像）に、ターゲットガイド（図１２（Ｂ）の３３０）を合成して、表示画面１１５に表示する。
【００９１】
ステップＳ１５にて、ユーザにより、表示画面１１５上で、ターゲットガイド３３０とアクセスポイント８１のターゲットパターン２３０との位置合わせおよび形状合わせを行う。大きさ合わせも併せて行われる。
【００９２】
ユーザが表示画面１１５上で２つのパターン２３０、３３０の位置を合わせようとすることで、撮影装置１００の指向性通信ポート７０の赤外線の放射角度範囲が、アクセスポイント８１の指向性通信ポート２０２を適切にカバーするようになる。また、ユーザが表示画面１１５上で２つのパターン２３０、３３０の形状を合わせようとすることで、撮影装置１００の指向性通信ポート７０がアクセスポイント８１の指向性通信ポート２０２の赤外線の放射角度範囲内の適切な位置に移動することになる。また、ユーザが表示画面１１５上で２つのパターン２３０、３３０の大きさを合わせようとすることで、撮影装置１００の指向性通信ポート７０とアクセスポイント８１の指向性通信ポート２０２との間隔が互いの赤外線の放射距離範囲内の適切な距離になる。
【００９３】
ステップＳ１６にて、パターン比較部３１４により、予め記憶部１０９に記憶されている実際のアクセスポイント８１上のターゲットパターン２３０のデータと、撮像画像から抽出したターゲットパターン２３０のデータとを比較する。すなわち、表示画面１１５上のターゲットガイド３３０と表示画面１１５上のターゲットパターン２３０とを比較する。これにより、撮影装置１００の指向性通信ポート７０から放射される赤外線の放射角度範囲とアクセスポイント８１の指向性通信ポート２０２との位置関係、および、アクセスポイント８１の指向性通信ポート２０２から放射される赤外線の放射角度範囲と撮影装置１００の指向性通信ポート７０との位置関係が適切であるか否かを判定する。本例では、ターゲットガイド３３０が四角形であって４つの頂点を有するので、表示画面１１５上でのターゲットガイド３３０およびターゲットパターン２３０の各頂点同士の位置関係を検出して、撮影装置１００の赤外線放射角度が、アクセスポイント８１の指向性通信ポート２０２の実際の位置に対して、適切であるか否かを判定する。また、本例では、ターゲットガイド３３０が四角形であって４つの辺を有するので、表示画面１１５上でのターゲットガイド３３０およびターゲットパターン２３０の各辺同士の長さの比を算出して、撮影装置１００の指向性通信ポート７０の位置が、アクセスポイント８１の赤外線の放射角度に対して、適切であるか否かを判定する。また、ステップＳ１６にて、距離判定部３１５により、測距部５６で測定された被写体距離に基づいて、ふたつの指向性通信ポート７０、２０２の間隔が、相互の赤外線の放射距離に対して、適切であるか否かを判定する。
【００９４】
ステップＳ１６の判定にて、ＯＫと判定された場合には、ステップＳ１７にて、指向性通信ポート７０を用いて、赤外線通信により、アクセスポイント８１との間で無線ＬＡＮセットアップを開始する。
【００９５】
本例では、ステップＳ１２にて、通信ポート探しモードに遷移するとき、撮影装置１００が、アクセスポイント８１に対して、無指向性通信により、無線ＬＡＮ設定開始待ち要求を送信する。また、ステップＳ１６でＯＫと判定されたとき、ステップＳ１７にて、撮影装置１００が、アクセスポイント８１に対して、指向性通信により、無線ＬＡＮ設定情報の通信要求を送信する。その後、撮影装置１００とアクセスポイント８１との間で、指向性通信により、本通信の成立に必要な無線ＬＡＮ設定情報を通信する。アクセスポイント８１にて、本通信の成立に必要な処理が完了すると、アクセスポイント８１が、撮影装置１００に対して、指向性通信により、無線ＬＡＮ設定完了通知を送信する。そうすると、図１３に示す処理が終了する。
【００９６】
本明細書にて、指向性を有する電磁波とは、特定の方向に偏って到達する電磁波である。このような電磁波の例として、赤外線が挙げられる。赤外線は、可視光よりも波長が長く、電波よりも波長が短い電磁波である。波長は０．７μｍ〜１ｍｍである。赤外線は、一般に、近赤外線（波長０．７〜２．５μｍ）、中赤外線（波長２．５〜４μｍ）、遠赤外線（波長２．５μｍ〜１ｍｍ）に分類されている。なお、本発明において、指向性を有する電磁波は、赤外線には特に限定されないけれども、特に人体（特に目）に有害な電磁波は避ける必要がある。
【００９７】
本明細書にて、無線ＬＡＮの設定情報は、デジタルコンテンツ（例えば、画像データ、音データ、テキストデータ、これらのデータを組み合わせたマルチメディアデータ）などの目的のデータの通信（本通信）を成立させるために必要な情報である。
【００９８】
前述の無線ＬＡＮ端末装置８０としての撮影装置１００およびアクセスポイント８１にて、無線ＬＡＮ設定情報は、無指向性通信によるデータの通信の成立に必要な設定情報である。例えば、ＥＳＳＩＤ（Extended Service Set Identifier）、ＷＥＰＩＤ（Wired Equivalent Privacy）である。
【００９９】
前述の例では、指向性を有しない電磁波を用いて本通信を行うが、本発明はこのような場合には特に限定されず、指向性の電磁波を用いて無線ＬＡＮの設定情報を通信した後、その指向性の電磁波を用いて本通信を行う態様にも、適用できる。
【０１００】
なお、本発明は、本明細書において説明した例や図面に図示された例には限定されず、本発明の要旨を逸脱しない範囲において、各種の設計変更や改良を行ってよいのはもちろんである。
【図面の簡単な説明】
【０１０１】
【図１】無線ＬＡＮ通信システムを含む構成例を示すブロック図
【図２】無線ＬＡＮ端末装置としての撮影装置の一例の前面側の外観を示す斜視図
【図３】無線ＬＡＮ端末装置としての撮影装置の一例の背面側の外観を示す斜視図
【図４】無線ＬＡＮ端末装置としての撮影装置の一例の要部構成を示すブロック図
【図５】アクセスポイントの一例のブロック図
【図６】（Ａ）〜（Ｃ）は、第１実施形態に係るアクセスポイントの具体例の外観を示す斜視図
【図７】第２実施形態に係るアクセスポイントの外観を示す斜視図
【図８】第２実施形態に係るアクセスポイントの要部を示す説明図
【図９】（Ａ）および（Ｂ）は、第３実施形態に係るアクセスポイントの外観を示す斜視図
【図１０】無線ＬＡＮ設定状態に応じて可視光の点灯状態（点滅、点灯、消灯）を切り換える場合について、無線ＬＡＮセットアップ処理の一例の流れを示すフローチャート
【図１１】無線ＬＡＮ設定状態に応じて可視光の色を切り換える場合について、無線ＬＡＮセットアップ処理の一例の流れを示すフローチャート
【図１２】（Ａ）はターゲットパターンの一例を示す説明図、（Ｂ）はターゲットガイドの一例を示す説明図
【図１３】撮影装置における処理の一例の流れを示すフローチャート
【符号の説明】
【０１０２】
８０…無線ＬＡＮ端末装置、８１…アクセスポイント、１００…撮影装置、２０１…電波通信部、２０２…指向性通信ポート、２０３…可視光発光部、２０４…外部ネットワークインターフェース、２０９…記憶部、２１１…外部ネットワーク通信制御部、２１２…電波通信制御部、２１３…セキュリティ処理部、２１４…無線ＬＡＮ設定部、２１５…可視光制御部、２３０…ガイドマーク
【図１】
2010050919.tif 000003
【図２】
2010050919.tif 000004
【図３】
2010050919.tif 000005
【図４】
2010050919.tif 000006
【図５】
2010050919.tif 000007
【図６】
2010050919.tif 000008
【図７】
2010050919.tif 000009
【図８】
2010050919.tif 000010
【図９】
2010050919.tif 000011
【図１０】
2010050919.tif 000012
【図１１】
2010050919.tif 000013
【図１２】
2010050919.tif 000014
【図１３】
2010050919.tif 000015